(57)【要約】【課題】交換や清掃等のメンテナンス性が良い排水栓を提供する。【解決手段】排水栓１は、浴槽８の底面８１に形成された排水口８２に配設されており、回転操作によって開閉する止水蓋１０を有する。排水栓１は、排水口８２に接続部材としてのフランジ部２０が設けられており、フランジ部２０の上部に昇降用段部２４が形成されている。止水蓋１０には、昇降用段部２４に接触して上下動するための係合部１２が設けられている。【選択図】図２
2020056172.tif 000002
【特許請求の範囲】
【請求項１】
浴槽の底面に形成された排水口に配設されており、回転操作によって開閉する止水蓋を有する排水栓であって、
前記排水口に接続部材が設けられており、
前記接続部材の上部に昇降用段部が形成されており、
前記止水蓋に前記昇降用段部に接触して上下動するための係合部が設けられていることを特徴とする排水栓。
【請求項２】
浴槽の底面に形成された排水口に配設されており、回転操作によって開閉する止水蓋を有する排水栓であって、
前記排水口に接続部材が設けられており、
前記接続部材に昇降用段部が別体として設けられており、
前記止水蓋に前記昇降用段部に接触して上下動するための係合部が設けられていることを特徴とする排水栓。
【請求項３】
前記接続部材に嵌め合わされる目皿を有し、
前記目皿の上部に前記昇降用段部が設けられていることを特徴とする請求項２に記載の排水栓。
【請求項４】
前記接続部材に嵌め合わされる防臭用筒体を有し、
前記防臭用筒体の上部に前記昇降用段部が設けられていることを特徴とする請求項２に記載の排水栓。
【発明の詳細な説明】
【技術分野】
【０００１】
本発明は、排水栓に関する。
【背景技術】
【０００２】
湯を溜める浴槽の底部に設けられる排水栓には、排水口を塞ぐゴム栓や、プッシュ式の栓が用いられている。例えば、特許文献１には、水平回転させるための指掛け部を有する止水蓋の下方に栓体支持部材を設け、排水口に連通する排水管内に、栓体支持部材が載置される高さ調整部材を設けた排水栓が開示されている。高さ調整部材は、栓体支持部材が開栓時に載る上昇段部、閉栓時に載る下降段部、および上昇段部と下降段部を連続させる傾斜部を有する。
【先行技術文献】
【特許文献】
【０００３】
【特許文献１】実開平５−６１２６３号公報
【発明の概要】
【発明が解決しようとする課題】
【０００４】
特許文献１に記載の排水栓では、止水蓋に人体等の荷重がかかると、上昇段部や栓体支持部材が破損する虞があり、破損した場合には排水管ごと交換する必要があった。また、高さ調整部材が排水管内に設けられているため、汚れやヌメリが高さ調整部材に付着した場合に清掃することが困難であった。
【０００５】
また、高さ調整部材が排水管の内部に突出しているため、排水管の通水面積が減って排水性能が低下してしまう。排水性能の低下は、特許文献１に例示されている洗面器等のように比較的に少量の水を排水する箇所では許容されたとしても、浴槽等のように大量の水を排水する箇所では排水時間が長くなり利便性が低下する。
【０００６】
本発明は、斯かる事情に鑑みてなされたものであり、その目的とするところは、交換や清掃等のメンテナンス性が良い排水栓を提供することにある。
【課題を解決するための手段】
【０００７】
本発明に係る排水栓は、浴槽の底面に形成された排水口に配設されており、回転操作によって開閉する止水蓋を有する排水栓であって、前記排水口に接続部材が設けられており、前記接続部材の上部に昇降用段部が形成されており、前記止水蓋に前記昇降用段部に接触して上下動するための係合部が設けられていることを特徴とする。
【０００８】
また本発明に係る排水栓は、浴槽の底面に形成された排水口に配設されており、回転操作によって開閉する止水蓋を有する排水栓であって、前記排水口に接続部材が設けられており、前記接続部材に昇降用段部が別体として設けられており、前記止水蓋に前記昇降用段部に接触して上下動するための係合部が設けられていることを特徴とする。
【発明の効果】
【０００９】
本発明によれば、排水栓は交換や清掃等のメンテナンス性が良い。
【図面の簡単な説明】
【００１０】
【図１】本発明の実施形態１に係る排水栓を含む浴槽の外観を示す斜視図である。
【図２】排水栓部分の縦断面図である。
【図３】図３（ａ）は止水蓋を上方から見た斜視図であり、図３（ｂ）は止水蓋を下方から見た斜視図である。
【図４】フランジ部の斜視図である。
【図５】図５（ａ）および図５（ｂ）は、排水栓の動きを説明するための模式図である。
【図６】図６（ａ）は本発明の実施形態２に係るフランジ部および昇降用段部の分解斜視図、図６（ｂ）は組立後のフランジ部の外観を示す斜視図である。
【図７】本発明の実施形態３に係る排水栓の縦断面図である。
【図８】目皿の外観を示す斜視図である。
【図９】本発明の実施形態４に係る排水栓の縦断面図である。
【図１０】防臭用筒体の外観を示す斜視図である。
【発明を実施するための形態】
【００１１】
以下、本発明を好適な実施の形態をもとに図１から図１０を参照しながら説明する。各図面に示される同一または同等の構成要素、部材には、同一の符号を付するものとし、適宜重複した説明は省略する。また、各図面における部材の寸法は、理解を容易にするために適宜拡大、縮小して示される。また、各図面において実施の形態を説明する上で重要ではない部材の一部は省略して表示する。
【００１２】
（実施形態１）
図１は本発明の実施形態１に係る排水栓１を含む浴槽８の外観を示す斜視図、図２は排水栓１部分の縦断面図である。浴槽８は、底面８１に排水口８２が設けられており、排水口８２の下方にトラップ部９が接続されている。排水口８２は、底面８１から一段下がった底部８１ａを貫通する貫通孔として形成されている。排水栓１は、浴槽８の排水口８２を覆うように配設されている。排水栓１は、開栓状態で浴槽８内の湯水を排水管側へ排出し、閉栓状態で排水口８２を塞ぎ浴槽８に水を溜める。
【００１３】
トラップ部９は、トラップ本体９１の内部に防臭用筒体９２が配置され、トラップ本体９１の側方へ排水する。防臭用筒体９２は、排水口８２からの排水をトラップ本体９１に流下させて、トラップ本体９１に水が溜まった状態に保ち、溜まった水を封水として貯留状態に保つ。トラップ部９は、排水口８２との取付箇所において漏水しないようにパッキン等で水密に封止されている。
【００１４】
排水栓１は、止水蓋１０およびフランジ部２０を有する。排水栓１のフランジ部２０には、トラップ部９の防臭用筒体９２が取り付けられ、複数の通流孔が形成された目皿３０が防臭用筒体９２の上に配設されている。止水蓋１０は、目皿３０の上方を覆うように配設されている。フランジ部２０は、円筒状をなし、下端部の外周に雄螺子２０ａが形成されている。フランジ部２０の雄螺子２０ａをトラップ部９の対応する孔の内周に形成された雌螺子に螺合させることで、フランジ部２０およびトラップ部９が浴槽８の底部８１ａに固定される。またフランジ部２０により、浴槽８の底部８１ａに排水系としてのトラップ部９が接続される。尚、フランジ部２０は本発明における接続部材に相当する。
【００１５】
図３（ａ）は止水蓋１０を上方から見た斜視図であり、図３（ｂ）は止水蓋１０を下方から見た斜視図である。止水蓋１０は、円形板状をなす蓋体１１、および蓋体１１の下面１１ｂに設けた係合部１２を有する。また、蓋体１１の上面１１ａには、蓋体１１の中心を含んで半径方向に延び、上方に突起するように指掛部１３が形成されている。ユーザは、指掛部１３に指を掛けて止水蓋１０を上下方向の軸まわりに回転させることができる。また、止水蓋１０の外周には円環状のパッキン１４が設けられている。
【００１６】
止水蓋１０の係合部１２は、蓋体１１の下面１１ｂの周縁部において、周方向に４等分する４箇所に設けられている。係合部１２は、蓋体１１の下面１１ｂから下方に向けて突起する舌片状に形成されており、側面から見ると矩形状をなし、下面１２ａが後述するフランジ部２０の昇降用段部２４に接触する。
【００１７】
図４は、フランジ部２０の斜視図である。フランジ部２０は、円筒状をなし、胴部２１の上端部に外向きに張り出す円環板状の上端縁２２、および胴部２１の下端部に内向きに張り出す円環板状の下端縁２３を有する。フランジ部２０は、上部に昇降用段部２４を有している。トラップ部９の防臭用筒体９２は、上方から下端縁２３へ挿入するようにして取り付けられる。
【００１８】
フランジ部２０の昇降用段部２４は、上端縁２２の外周縁部において、上方へ突起するように円弧状に形成されている。昇降用段部２４は、周方向に４等分した各円弧において同一の形状となっている。昇降用段部２４は、上端縁２２と面一である下降段部２４ａ、下降段部２４ａよりも高い上昇段部２４ｂ、および下降段部２４ａと上昇段部２４ｂを連続させる傾斜部２４ｃを有する。また、上昇段部２４ｂの傾斜部２４ｃと反対側の端部には、上昇段部２４ｂよりも１段高い回転規制部２４ｄが設けられている。尚、回転規制部２４ｄの上昇段部２４ｂと反対側の端部は、隣り合う昇降用段部２４の下降段部２４ａに連なっている。
【００１９】
傾斜部２４ｃにおける勾配は、ほぼ一定であっても良いし、滑らかに変化してもよい。傾斜部２４ｃと、下降段部２４ａおよび上昇段部２４ｂとの接続部分に丸みを付けて滑らかに接続させることで、止水蓋１０の回転操作を滑らかにすることができる。
【００２０】
排水栓１は、昇降用段部２４の下降段部２４ａに止水蓋１０の係合部１２が接触して閉栓状態となり、上昇段部２４ｂに係合部１２が接触して開栓状態となる。止水蓋１０を閉栓状態から開栓状態へ向かうように回転させたとき、係合部１２は、下降段部２４ａから傾斜部２４ｃを通って上昇段部２４ｂへ移動し、回転規制部２４ｄに当たって止まる。同様に、止水蓋１０を開栓状態から閉栓状態へ向かうように回転させたとき、係合部１２は、上昇段部２４ｂから傾斜部２４ｃを通って下降段部２４ａへ移動し、回転規制部２４ｄに当たって止まる。
【００２１】
次に排水栓１の動作について説明する。上述のように排水栓１のフランジ部２０は、浴槽８の排水口８２に固定されている。止水蓋１０は、係合部１２の下面１２ａをフランジ部２０の昇降用段部２４に接触させるようにして取り付けられる。止水蓋１０は、浴槽８の底面８１に交差する上下方向の軸線まわりに回転させることによって、係合部１２が昇降用段部２４上を滑り、上下動する。
【００２２】
図５（ａ）および図５（ｂ）は、排水栓１の動きを説明するための模式図である。図５（ａ）に示す状態において、排水栓１は、止水蓋１０の係合部１２がフランジ部２０の下降段部２４ａに接触して閉栓状態となっている。閉栓状態では、止水蓋１０の外周に設けられたパッキン１４が浴槽８の底面８１側の対向面８１ｂに接触し、排水口８２を塞ぐ。
【００２３】
止水蓋１０を回転させて、止水蓋１０の係合部１２を、傾斜部２４ｃを経て上昇段部２４ｂに接触させることで、図５（ｂ）に示す開栓状態となる。また、止水蓋１０を逆方向に回転させることで、図５（ａ）に示す閉栓状態に戻る。
【００２４】
排水栓１は、止水蓋１０の係合部１２およびフランジ部２０の昇降用段部２４が破損した場合には、止水蓋１０およびフランジ部２０を簡単に交換することができ、メンテナンス性が良い。フランジ部２０は、雄螺子２０ａによる螺合を緩めて、浴槽８の底部８１ａから取り外して交換すればよい。また、フランジ部２０の昇降用段部２４に汚れやヌメリが付着した場合でも、昇降用段部２４がフランジ部２０の上部に設けられ、手が届き易い位置に露出しているため、清掃し易くメンテナンス性が良い。
【００２５】
排水栓１は、昇降用段部２４が排水口８２の上流にあり排水口８２よりも外側に形成されており、排水経路中における通水面積を狭めることへの影響が少ないため、排水効率が良好である。特に、浴槽８のように大量の水を排水する箇所では、排水効率が良いことから排水時間が短くなりユーザの利便性が良くなる。
【００２６】
（実施形態２）
図６（ａ）は本発明の実施形態２に係るフランジ部２０および昇降用段部２４の分解斜視図、図６（ｂ）は組立後のフランジ部２０の外観を示す斜視図である。実施形態２に係る排水栓１のフランジ部２０は、昇降用段部２４が別体で形成されている。昇降用段部２４は、図６（ａ）に示すように円環状に形成されており、実施形態１と同様に下降段部２４ａ、上昇段部２４ｂ、傾斜部２４ｃおよび回転規制部２４ｄを有している。またフランジ部２０には昇降用段部２４が形成されていない。
【００２７】
別体として形成した昇降用段部２４をフランジ部２０の上端縁２２に取り付けることで、図６（ｂ）に示す組立後のフランジ部２０となる。昇降用段部２４は、メンテナンス時に剥がすことができる程度の接着や、螺子締結等によってフランジ部２０に取り付ける。また、昇降用段部２４およびフランジ部２０のいずれかに一方にピンを、他方にピンに嵌合する孔を設け、ピンと孔とを嵌合させて取り付けるようにしてもよい。また、昇降用段部２４は、フランジ部２０に対して着脱可能に構成するようにしてもよい。
【００２８】
排水栓１は、昇降用段部２４をフランジ部２０と別体で構成することによって、昇降用段部２４に破損が生じた場合に、昇降用段部２４のみの交換で修理することができ、メンテナンス性がさらに良くなる。また排水栓１は、昇降用段部２４がフランジ部２０に対して着脱可能に構成されている場合、昇降用段部２４を取り外し、容易に汚れやヌメリを除去する清掃を行うことができる。
【００２９】
（実施形態３）
図７は本発明の実施形態３に係る排水栓１の縦断面図であり、図８は目皿３０の外観を示す斜視図である。実施形態３に係る排水栓１では、目皿３０に昇降用段部２４が設けられている。目皿３０は、防臭用筒体９２の上方に着脱可能に配設されている。
【００３０】
目皿３０は、フランジ部２０の上端縁２２に接触する縁部３１を有しており、縁部３１の外周部に昇降用段部２４が形成されている。昇降用段部２４は、実施形態１と同様に下降段部２４ａ、上昇段部２４ｂ、傾斜部２４ｃおよび回転規制部２４ｄを有し、目皿３０の上部に形成されている。目皿３０は、フランジ部２０に取り付けた状態でフランジ部２０に対して回転拘束されるように構成されている。
【００３１】
排水栓１は、止水蓋１０の係合部１２を目皿３０に設けた昇降用段部２４に接触させ、止水蓋１０の回転操作によって、開栓状態および閉栓状態にすることができる。排水栓１は、昇降用段部２４に汚れやヌメリが付着した場合、目皿３０を取り付けたまま容易に清掃することができる。また目皿３０を取り外すことで、昇降用段部２４をさらに容易に清掃することができる。また、昇降用段部２４に破損が生じた場合、目皿３０を交換することで容易にメンテナンスすることができる。
【００３２】
（実施形態４）
図９は本発明の実施形態４に係る排水栓１の縦断面図であり、図１０は防臭用筒体９２の外観を示す斜視図である。実施形態４に係る排水栓１では、防臭用筒体９２の上部に昇降用段部２４が形成されている。昇降用段部２４は、実施形態１と同様に下降段部２４ａ、上昇段部２４ｂ、傾斜部２４ｃおよび回転規制部２４ｄを有している。
【００３３】
防臭用筒体９２は、フランジ部２０の胴部２１の内側に嵌め合わされている。防臭用筒体９２をフランジ部２０の胴部２１に上方から挿入するようにして取り付けた状態で、防臭用筒体９２に設けた円弧状の昇降用段部２４が、フランジ部２０の胴部２１内周面に添うように配置される。防臭用筒体９２は、フランジ部２０に取り付けた状態でフランジ部２０に対して回転拘束されるように構成されている。尚、防臭用筒体９２に形成された昇降用段部２４は、フランジ部２０のより上部に位置させることで、止水蓋１０に設ける係合部１２の高さが抑制される。
【００３４】
排水栓１は、止水蓋１０の係合部１２を防臭用筒体９２に設けた昇降用段部２４に接触させ、止水蓋１０の回転操作によって、開栓状態および閉栓状態にすることができる。排水栓１は、昇降用段部２４に汚れやヌメリが付着した場合、防臭用筒体９２を取り付けたまま容易に清掃することができる。また防臭用筒体９２を取り外すことで、昇降用段部２４をさらに容易に清掃することができる。また、昇降用段部２４に破損が生じた場合、防臭用筒体９２を交換することで容易にメンテナンスすることができる。
【００３５】
上述の実施形態では、傾斜部２４ｃの勾配はほぼ一定であっても良いし、滑らかに変化してもよいとしたが、例えば、下降段部２４ａ側での勾配を緩やかにし、下降段部２４ａ側から上昇段部２４ｂ側に向かうにつれて急になるようにしてもよい。排水栓１が閉栓状態にあって浴槽８に水が溜められた状態では、止水蓋１０にかかる水圧が止水蓋１０の回転操作の負荷となる。下降段部２４ａ側での勾配を緩やかにすることで、止水蓋１０の回転に必要な回転操作力を小さく抑えることができる。また上述の実施形態では、フランジ部２０は、上端縁２２および下端縁２３を有する例を示したが、上端縁２２および下端縁２３の両方または一方が設けられていない構成であってもよい。フランジ部２０に上端縁２２がない場合には、昇降用段部２４は胴部２１の上端部に設けるようにすればよい。フランジ部２０は、底部８１ａに取り付けられても良いし、底部８１ａと一体的に設けられていてもよい。また上述の実施形態では、フランジ部２０によって接続される排水系としてトラップ部９を例に説明したが、フランジ部２０に排水用配管の一端部を接続し、該排水用配管の他端部側がトラップ部９等に接続されていてもよい。
【００３６】
また、実施形態３において昇降用段部２４を目皿３０と別体で形成し、目皿３０に取り付けるようにしてもよい。また、実施形態４において昇降用段部２４を防臭用筒体９２と別体で形成し、防臭用筒体９２に取り付けるようにしてもよい。昇降用段部２４が破損した場合には、目皿３０または防臭用筒体９２から昇降用段部２４を取り外して交換すればよい。
【００３７】
また、上述の実施形態では、止水蓋１０の蓋体１１の下面１１ｂに形成された係合部１２は、側面視で矩形状をなし下面１２ａが平坦状である例を示したが、側面視で下面１２ａ側が半月状等をなし、下面１２ａが丸みを帯びた曲面等で形成されていてもよい。また、止水蓋１０の蓋体１１の上面１１ａに設けた指掛部１３は、ユーザが手指を掛けて、止水蓋１０を回動させることができるものであれば、実施形態に示した形態に限られない。指掛部１３は、例えば、凹状に設けてもよいし、大きさや長さを変更し、蓋体１１の表面に複数設けるようにしてもよい。
【００３８】
次に、各実施形態の排水栓１の特徴を説明する。
本発明の実施形態の排水栓１は、浴槽８の底面８１に形成された排水口８２に配設されており、回転操作によって開閉する止水蓋１０を有する。排水栓１は、排水口８２に接続部材としてのフランジ部２０が設けられており、フランジ部２０の上部に昇降用段部２４が形成されている。止水蓋１０には、昇降用段部２４に接触して上下動するための係合部１２が設けられている。これにより、排水栓１は、止水蓋１０の係合部１２およびフランジ部２０の昇降用段部２４が破損した場合に、止水蓋１０およびフランジ部２０を簡単に交換することができ、メンテナンス性が良い。
【００３９】
また本発明の実施形態の排水栓１は、浴槽８の底面８１に形成された排水口８２に配設されており、回転操作によって開閉する止水蓋１０を有する。排水栓１は、排水口８２に接続部材としてのフランジ部２０が設けられており、フランジ部２０に昇降用段部２４が別体として設けられている。止水蓋１０には、昇降用段部２４に接触して上下動するための係合部１２が設けられている。これにより、排水栓１は、昇降用段部２４がフランジ部２０と別体で構成され、昇降用段部２４に破損が生じた場合に、昇降用段部２４を交換することで修理することができ、メンテナンス性がさらに良くなる。
【００４０】
また排水栓１は、フランジ部２０に嵌め合わされる目皿３０を有し、目皿３０の上部に昇降用段部２４が設けられている。これにより、排水栓１は、昇降用段部２４に汚れやヌメリが付着した場合、目皿３０の上部に設けられた昇降用段部２４を容易に清掃することができ、また昇降用段部２４に破損が生じた場合、目皿３０を交換することで容易にメンテナンスすることができる。
【００４１】
また排水栓１は、フランジ部２０に嵌め合わされる防臭用筒体９２を有し、防臭用筒体９２の上部に昇降用段部２４が設けられている。これにより、排水栓１は、昇降用段部２４に汚れやヌメリが付着した場合、防臭用筒体９２の上部に設けられた昇降用段部２４を容易に清掃することができ、また昇降用段部２４に破損が生じた場合、防臭用筒体９２を交換することで容易にメンテナンスすることができる。
【００４２】
以上、本発明の実施の形態をもとに説明した。これらの実施の形態は例示であり、いろいろな変形および変更が本発明の特許請求範囲内で可能なこと、またそうした変形例および変更も本発明の特許請求の範囲にあることは当業者に理解されるところである。従って、本明細書での記述および図面は限定的ではなく例証的に扱われるべきものである。
【符号の説明】
【００４３】
１  排水栓、  １０  止水蓋、  １２  係合部、  ２０  フランジ部（接続部材）、
２４  昇降用段部、  ３０  目皿、  ９２  防臭用筒体、  ８  浴槽、
８１  底面、  ８２  排水口。
【図１】
2020056172.tif 000003
【図２】
2020056172.tif 000004
【図３】
2020056172.tif 000005
【図４】
2020056172.tif 000006
【図５】
2020056172.tif 000007
【図６】
2020056172.tif 000008
【図７】
2020056172.tif 000009
【図８】
2020056172.tif 000010
【図９】
2020056172.tif 000011
【図１０】
2020056172.tif 000012